(57)【要約】【課題】記憶容量や処理負担が極めて少ない簡単な処理により、テレビ番組のＣＭ部分の少なくとも音量を、直前の音量に応じて効果的に低減する。【解決手段】テレビジョン受信装置１の制御部６により、テレビ番組の信号からその番組の番組部分とＣＭ部分を識別してＣＭ部分を検出し、この検出開始によりＣＭ部分の再生出力直前の出力音量を基準音量として不揮発性メモリ部８に記憶し、基準音量が、設定された指定減音量のＫ倍（Ｋは１より大きい係数）以上か否かを判定し、この判定結果に基づき基準音量が指定減音量の前記Ｋ倍以上であればＣＭ部分の音量を基準音量より指定減音量低い音量に減音し、基準音量が指定音量のＫ倍より小さければＣＭ部分の音量を基準音量の（Ｋ−１）／Ｋに減音し、ＣＭ部分の検出終了により出力音量を基準音量に戻す。【選択図】図１
2007318592.tif 000002
【特許請求の範囲】
【請求項１】
受信又は媒体再生によって得られたテレビ番組の画面及び音声の再生出力中に前記テレビ番組の番組部分間のＣＭ部分を検出し、前記ＣＭ部分の少なくとも音量を低減する再生装置において、前記テレビ番組の信号から前記テレビ番組の前記番組部分と前記ＣＭ部分を識別して再生出力する前記ＣＭ部分を検出するＣＭ検出手段と、前記ＣＭ検出手段の前記ＣＭ部分の検出開始により前記ＣＭ部分の再生出力直前の出力音量を基準音量として記憶する基準音量記憶手段と、前記基準音量が、設定された指定減音量のＫ倍（Ｋは１より大きい係数）以上か否かを判定する音量判定手段と、該音量判定手段の判定結果に基づき前記基準音量が前記指定減音量の前記Ｋ倍以上であれば前記ＣＭ部分の再生出力中の音量を前記基準音量記憶手段の前記基準音量より前記指定減音量低い音量に減音し、前記基準音量が前記指定音量の前記Ｋ倍より小さければ前記ＣＭ部分の再生出力中の音量を前記基準音量記憶手段の前記基準音量の（Ｋ−１）／Ｋに減音する減音制御手段と、前記ＣＭ検出手段の前記ＣＭ部分の検出終了により出力音量を前記基準音量記憶手段の前記基準音量に戻す減音解除手段を備えたことを特徴とする再生装置。
【請求項２】
請求項１記載の再生装置において、前記ＣＭ部分検出手段は、テレビ番組の音声信号のステレオ、モノラルから前記番組部分と前記ＣＭ部分とを識別して前記ＣＭ部分を検出することを特徴とする再生装置。
【請求項３】
請求項１又は２記載の再生装置において、前記ＣＭ検出手段の前記ＣＭ部分の検出開始により前記ＣＭ部分の再生出力直前の画面のコントラスト、輝度の少なくともいずれか一方を基準光量として記憶する基準光量記憶手段と、前記基準光量が、設定された指定減光量のＬ倍（Ｌは１より大きい係数）以上か否かを判定する明るさ判定手段と、該明るさ判定手段の判定結果に基づき前記基準光量が前記指定減光量の前記Ｌ倍以上であれば前記ＣＭ部分の再生出力中の画面の明るさを前記基準光量記憶手段の前記基準光量より前記指定減光量低い光量の明るさに低減し、前記基準光量が前記指定減光量の前記Ｌ倍より小さければ前記ＣＭ部分の再生出力中の画面の明るさを前記基準光量記憶手段の前記基準光量の（Ｌ−１）／Ｌに低減する減光御手段と、前記ＣＭ検出手段の前記ＣＭ部分の検出終了により画面の明るさを前記基準光量記憶手段の前記基準光量の明るさに戻す減光解除手段をさらに備えたことを特徴とする再生装置。
【発明の詳細な説明】
【技術分野】
【０００１】
本発明は、テレビジョン受信装置等の再生装置に関し、詳しくは表示及び音声出力するテレビ番組のＣＭ部分での自動的な減音等の制御に関する。
【背景技術】
【０００２】
テレビジョン受信装置やこの受信装置にＤＶＤ等を組み込んだ複合装置等の再生装置においては、受信又は媒体再生によって得られたテレビ番組を表示し、音声出力する際に、テレビ番組の番組部分間のＣＭ（コマーシャルメッセージ）部分では音量や画面の明るさを自動的に低減し、番組鑑賞性能の向上等を図ることが提案されている。この場合、音声信号のモノラル、ステレオからテレビ放送の番組部分とＣＭ部分とを認識し、音声信号がステレオ（又はモノラル）になることから前記ＣＭ部分を検出することが知られている。
【０００３】
又、テレビ放送の２ヶ国語音声放送（２音声放送）部分からＣＭ部分への変化を、音声信号の２音声からモノラル又はステレオへの変化によって検出し、この検出に基づき、ＣＭ部分では再生装置の音量やコントラスト、輝度を一定量小さくし、音量や画面の明るさを自動的に低減することも提案されている（例えば、特許文献１参照。）。
【特許文献１】実開平５−７４０８０号公報（要約書、段落［００１６］−［００１８］、図１等）
【発明の開示】
【発明が解決しようとする課題】
【０００４】
この種の再生装置において、受信又は媒体再生によって得られたテレビ番組の番組部分間のＣＭ部分を検出し、この検出に基づいて前記従来公報（特許文献１）に記載のように、ＣＭ部分では再生装置の音量やコントラスト、輝度を単に一定量小さくし、音量や画面の明るさを自動的に一定量低減するのでは、音量について、ＣＭ部分の直前の音量と前記一定量との関係によっては、ＣＭ部分で、音量低減の過不足が生じて適切な減音効果が得られない問題がある。
【０００５】
同様に、コントラスト、輝度によって変化する表示画面の明るさについても、ＣＭ部分のコントラスト、輝度を、その直前の画面の明るさによらず単に一定量小さくするのみでは、ＣＭ部分の直前の明るさと前記一定量との関係によっては、ＣＭ部分で、明るさ低減の過不足が生じて適切な減光効果が得られない問題がある。
【０００６】
そして、この種の再生装置において、番組鑑賞に最も影響があるのは音量であることから、少なくとも、ＣＭ部分で、過不足のない良好な音量低減を行なうことが望まれる。
【０００７】
又、表示画面の明るさはコントラスト、輝度の少なくとも何れか一方を可変して調整することができる。
【０００８】
本発明は、記憶容量や処理負担が極めて少ない簡単な処理により、テレビ番組のＣＭ部分の少なくとも音量を、直前の音量に応じて効果的に低減することを目的とし、更には、同時に、表示画面の明るさも、直前の明るさに応じて効果的に低減することを目的とする。
【課題を解決するための手段】
【０００９】
上記の目的を達成するために、本発明の再生装置は、受信又は媒体再生によって得られたテレビ番組の画面及び音声の再生出力中に前記テレビ番組の番組部分間のＣＭ部分を検出し、前記ＣＭ部分の少なくとも音量を低減する再生装置において、前記テレビ番組の信号から前記テレビ番組の前記番組部分と前記ＣＭ部分を識別して再生出力する前記ＣＭ部分を検出するＣＭ検出手段と、前記ＣＭ検出手段の前記ＣＭ部分の検出開始により前記ＣＭ部分の再生出力直前の出力音量を基準音量として記憶する基準音量記憶手段と、前記基準音量が、設定された指定減音量のＫ倍（Ｋは１より大きい係数）以上か否かを判定する音量判定手段と、該音量判定手段の判定結果に基づき前記基準音量が前記指定減音量の前記Ｋ倍以上であれば前記ＣＭ部分の再生出力中の音量を前記基準音量記憶手段の前記基準音量より前記指定減音量低い音量に減音し、前記基準音量が前記指定音量の前記Ｋ倍より小さければ前記ＣＭ部分の再生出力中の音量を前記基準音量記憶手段の前記基準音量の（Ｋ−１）／Ｋに減音する減音制御手段と、前記ＣＭ検出手段の前記ＣＭ部分の検出終了により出力音量を前記基準音量記憶手段の前記基準音量に戻す減音解除手段を備えたことを特徴としている（請求項１）。
【００１０】
その際、請求項１に係る請求項２の再生装置のように、前記ＣＭ部分検出手段は、テレビ放送の音声信号のステレオ、モノラルから前記番組部分と前記ＣＭ部分とを識別して前記ＣＭ部分を検出することが極めて実用的で好ましい。
【００１１】
又、本発明の音量調整装置は、請求項１又は２にかかる再生装置において、前記ＣＭ検出手段の前記ＣＭ部分の検出開始により前記ＣＭ部分の再生出力直前の画面のコントラスト、輝度の少なくともいずれか一方を基準光量として記憶する基準光量記憶手段と、前記基準光量が、設定された指定減光量のＬ倍（Ｌは１より大きい係数）以上か否かを判定する明るさ判定手段と、該明るさ判定手段の判定結果に基づき前記基準光量が前記指定減光量の前記Ｌ倍以上であれば前記ＣＭ部分の再生出力中の画面の明るさを前記基準光量記憶手段の前記基準光量より前記指定減光量低い光量の明るさに低減し、前記基準光量が前記指定減光量の前記Ｌ倍より小さければ前記ＣＭ部分の再生出力中の画面の明るさを前記基準光量記憶手段の前記基準光量の（Ｌ−１）／Ｌに低減する減光御手段と、前記ＣＭ検出手段の前記ＣＭ部分の検出終了により画面の明るさを前記基準光量記憶手段の前記基準光量の明るさに戻す減光解除手段をさらに備えたことを特徴としている（請求項３）。
【発明の効果】
【００１２】
請求項１の発明によれば、ＣＭ検出手段によりテレビ放送のＣＭ部分を検出すると、この検出開始の音量、換言すれば、ＣＭ部分の直前の音量が基準音量として基準音量記憶手段に記憶される。又、指定減音量のＫ倍をしきい値として基準音量の大小を判別するため、音量判定手段により、基準音量が指定減音量のＫ倍以上か否かが判定される。
【００１３】
そして、基準音量をＡ、指定減音量をＺ、ＣＭ部分での減音された音量をＹとすると、減音制御手段により、ＣＭ部分の直前の基準音量Ａが指定減音量ＺのＫ倍以上になる、Ａ≧Ｋ×Ｚの大きい範囲では、ＣＭ部分の音量Ｙが自動的に基準音量Ａより指定減音量Ｚ低い音量Ａ−Ｚに減音される。又、基準音量Ａが指定減音量ＺのＫ倍未満になる、Ａ＜Ｋ×Ｚの小さい範囲では、ＣＭ部分の音量Ｙが自動的に基準音量Ａの（Ｋ−１）／Ｋ（＜１）倍のＡ×（（Ｋ−１）／Ｋ）に減音される。
【００１４】
ここで、基準音量Ａ＝Ｋ×Ｚであれば、ＣＭ部分の音量Ｙが、Ｙ＝Ａ−Ｚ＝（Ｋ−１）×Ｚ＝（Ｋ−１）×（Ａ／Ｋ）＝Ａ×（（Ｋ−１）／Ｋ）に減音されることから、その音量Ｙは、横軸を基準音量Ａ、縦軸をＣＭ部分の減音された音量Ｙとする、図５の減音特性図の実線ｙに示すように、Ａ≧（Ｋ×Ｚ）の範囲では、実線ａの減音しない傾き（Ｙ／Ａ）＝１の特性を指定減音量Ｚ引き下げた特性になり、Ａ＜（Ｋ×Ｚ）の範囲では、実線ａの（Ｋ−１）／Ｋ（＜１）倍の傾きの特性になる。
【００１５】
そのため、ＣＭ部分の音量Ｙを、図５の実線ｙに示したように、直前の基準音量ＡがＡ≧Ｋ×Ｚの大きいときには、基準音量Ａより指定減音量Ｚ低い音量Ａ−Ｚに減音し、直前の基準音量ＡがＡ＜Ｋ×Ｚの小さいときは、（Ｋ−１）／Ｋ倍の小さな変化勾配で基準音量Ａに比例して減音し、その音量に応じて適切に減音することができる。
【００１６】
しかも、ＣＭ部分が終了してつぎの番組部分になると、減音解除手段により自動的に減音が解除されて再生装置の出力音量を基準音量Ａ、すなわち、ＣＭ部分以前の音量に戻すことができる。
【００１７】
そして、減音前、後の出力音量の多数個の組合わせをメモリ等に設定して保持することは不要であり、音量の多数回の比較等の処理を極めて迅速に行なう必要もなく、ＣＭ部分の開始直前（減音前）の基準音量Ａに対してＡ−Ｚ又はＡ×（（Ｋ−１）／Ｋ）の簡単な演算をする処理負担が少なく、装置の記憶容量や処理負担等の面から極めて実用的な構成でＣＭ部分の適切な減音を行なうことができる。
【００１８】
したがって、記憶容量や処理負担が極めて少ない簡単な処理により、テレビ番組の画面及び音声の再生出力中に、ＣＭ部分の音量を、直前の番組部分の音量の大きさに応じて自動的にきめ細かに効果的に減音し、番組鑑賞特性を著しく向上することができる。
【００１９】
そして、請求項１に係る請求項２の発明によれば、ＣＭ部分検出手段が、テレビ番組の音声信号のステレオ、モノラルから番組部分とＣＭ部分とを識別してＣＭ部分を検出するため、極めて実用的である。
【００２０】
又、請求項３の発明によれば、ＣＭ検出手段のテレビ放送のＣＭ部分の検出により、ＣＭ部分の直前の画面のコントラスト、輝度の少なくともいずれか一方が基準光量として基準音光量記憶手段に記憶される。又、指定減光量のＬ倍をしきい値として、基準光量が指定減光量のＬ倍以上か否かが光量判定手段により判定される。
【００２１】
そして、光量判定手段の判定結果に基づき、減光御手段が前記減音制御手段の音量低減と同様にしてＣＭ部分の再生出力中の画面の明るさを低減することができ、更に、ＣＭ部分が終了すると、減光解除手段により、自動的に再生装置の画面の明るさを基準光量記憶手段の基準光量の明るさ、すなわちＣＭ部分以前の明るさに戻すことができる。
【００２２】
したがって、記憶容量や処理負担が極めて少ない簡単な処理により、テレビ番組の画面及び音声の再生出力中に、ＣＭ部分の音量及び画面の明るさを、直前の番組部分の音量の大きさ及び画面の明るさに応じて自動的にきめ細かに効果的に低減し、番組鑑賞特性を更に一層向上することができる。
【発明を実施するための最良の形態】
【００２３】
次に、本発明をより詳細に説明するため、その１実施形態について、図１〜図５にしたがって詳述する。
【００２４】
図１は本発明の再生装置としてのテレビジョン受信装置１のブロック図、図２はテレビジョン受信装置１の音量及び画面の明るさの制御のフローチャート、図３は図２のフローチャートの画面の明るさの詳細制御のフローチャート、図４はテレビジョン受信装置１のメニュー設定（初期設定）の表示面面の変化の説明図、図５はテレビジョン受信装置１のＣＭ部分での減音特性の１例の説明図である。
【００２５】
［全体説明］
図１に示すようにテレビジョン受信装置１は本体装置２とリモコン端末器３とからなり、本体装置２は周知のアナログ又はデジタルのテレビジョン受信処理等を行なって得られたテレビ番組或いは外部機器であるビデオテープレコーダ、ＤＶＤ等の媒体再生のテレビ番組等の表示及び音声の出力を行なう。
【００２６】
その際、ＣＲＴ、液晶ディスプレイ、プラズマディスプレイ等どのような表示装置に番組を表示するようにしてもよいが、本実施形態では本体装置２がＣＲＴ４を備え、ＣＲＴ４にテレビ番組等を画面表示する。
【００２７】
また、リモコン端末器３はユーザが手元で操作する周知の赤外線リモコンであり、電池電源で動作し、ユーザのキー操作（タッチ操作）に基づき、本体装置２のリモコン送受信部５と赤外線を介してデータをやり取りし、電源のオン／オフやチャンネル、音量の選択等の各種の操作指令を、リモコン送受信部５を介して本体装置２のマイクロコンピュータ（マイコン）構成の制御部６に送る。
【００２８】
ところで、本体装置２は同装置２の電源キー（図示せず）が押されてテレビジョン受信装置１の主電源が投入されると、電源部７からリモコン送受信部５、制御部６等の所要回路部に電源を常給電し、リモコン端末器３の操作指令を受け付けるスタンバイ状態になる。
【００２９】
そして、制御部６は前記の電源のオン／オフやチャンネル、音量の選択等の各種の操作指令を受信すると、後述のメニュー設定でフラッシュメモリ等の不揮発性メモリ部８に書き換え自在に保持した受信、表示、音声等の各種の設定に基づき、本体装置２の各部を制御し、スタンバイ状態でリモコン端末器３の電源キー３３が操作されたり、タイマオン制御が発生したりしたときには、制御部６が電源部８から本体装置２の各部への給電をオンし、本体装置２を動作状態（電源オンの状態）にする。
【００３０】
この動作状態の間にリモコン端末器３の操作でテレビチャンネルが選択されると、不揮発性メモリ部８の設定に基づく制御部６の制御により、本体装置２は周知のアナログ又はデジタルの受信・表示の処理を実行し、選択されたチャンネル（以下、選択チャンネルという）のテレビ番組を受信し、表示・音声出力する。
【００３１】
具体的には、アンテナ、ケーブル等から受信端子９を介してテレビチューナ１０にテレビ受信信号等が入力され、テレビチューナ１０は受信信号から選択チャンネルの信号を検波、抽出して映像ＩＦ（ＩＦは中間周波増幅）・検波部１１に送る。
【００３２】
映像ＩＦ・検波部１１は選択チャンネルの映像ＩＦ信号を増幅して音声ＩＦ部１２に送るとともに、映像検波して当該チャンネルの複合映像信号を検波抽出し、その複合映像信号を映像増幅部１３に送る。
【００３３】
映像増幅部１３は周知の多段の映像増幅回路からなり、ブライトネス（輝度）調整部１４、コントラスト調整部１５が設けられ、前記複合映像信号を増幅して同期分離部１６、色復調処理部１７に送り、更に、前記複合映像信号の輝度信号（Ｙ信号）を設定されたコントラスト及びブライトネスのゲインで増幅して後段のマトリクス処理部１８に送る。
【００３４】
なお、ブライトネス調整部１４は制御部６のブライトネス設定指令にしたがってＣＲＴ４のカソード電圧を可変し、ＣＲＴ４の画面のブライトネスを調整し、コントラスト調整部１５は制御部６のブライトネス設定指令にしたがって映像増幅部１３の入力振幅を制御し、ＣＲＴ４の画面のコントラストを制御する。そして、ブライトネス、コントラストの少なくとも何れか一方を可変することで、ＣＲＴ４の画面の明るさが変化する。
【００３５】
同期分離部１６は前記複合映像信号から選択チャンネルの垂直・水平の同期信号を分離抽出して後段の各回路部等に供給し、色復調処理部１７は前記複合映像信号から例えばＲ−Ｙ、Ｇ−Ｙ、Ｂ−Ｙの色差信号（Ｒ、Ｇ、Ｂは赤、緑、青の原色信号）を抽出してマトリクス処理部１８に送る。
【００３６】
マトリクス処理部１８はＹ信号とＲ−Ｙ、Ｇ−Ｙ、Ｂ−Ｙの色差信号とのマトリクス処理により、選択チャンネルのＲ、Ｇ、Ｂの３原色信号を形成し、この３原色信号を表示出力部１９に送り、表示出力部１９はＲ、Ｇ、Ｂの３原色信号及び同期分離部１６の垂直・水平の同期信号等に基づき、ＣＲＴ４をカラー表示駆動してＣＲＴ４に選択チャンネルのテレビ番組を画面表示する。
【００３７】
又、音声ＩＦ部１２は映像ＩＦ信号に含まれた選択チャンネルの音声ＩＦ信号を抽出し、この音声ＩＦ信号を音声検波・復調部２０に送る。
【００３８】
音声検波・復調部２０は音声ＩＦ信号をＦＭ検波してＦＭ音声信号を生成し、このＦＭ音声信号のステレオ、音声多重等の情報及びユーザの音声選択等に基づき、前記ＦＭ音声信号にステレオ復調、音声多重復調の処理を施して選択チャンネルの左（Ｌ）、右（右）の音声信号を形成する。
【００３９】
このとき、音声信号のステレオ、モノラル、２か国語の別は、例えば音声ＩＦ部１２において、音声信号のステレオパイロット信号成分等から認識される。
【００４０】
そして、音声検波増幅部２０の左、右の音声信号を、左、右の電子音量調整部２１Ｌ、２１Ｒを介して左、右の音声出力部２２Ｌ、２２Ｒに送り、両音声出力部２２Ｌ、２２Ｒに接続された左、右のスピーカ２３Ｌ、２３Ｒから選択チャンネルのテレビ番組の左、右の音声を出力する。
【００４１】
このとき、一般的にはテレビ放送の番組部分はモノラル音声であり、番組部分間のＣＭ部分はステレオ音声になる。
【００４２】
つぎに、電子音量調整部２１Ｌ、２１Ｒは制御部６によって増幅ゲインが可変設定されるアナログ又はデジタルの周知の音声信号増幅器からなる。
【００４３】
そして、テレビジョン受信装置１の音量であるスピーカ２３Ｌ、２３Ｒの音量は、一般的には、リモコン端末器３の音量アップ、ダウンキーのキー操作によってに変更自在に調整して設定される。
【００４４】
このとき、音量の調整は、前記のブライトネス、コントラストの調整と同様のデジタルの例えば６４段階の制御（６ビット制御）で行なわれる。
【００４５】
そして、この６４段階の制御は、例えば音量であれば、電子音量調整部２１Ｌ、２１Ｒの増幅ゲインの最大値乃至最小値を最小音量乃至最大音量とし、この最小音量乃至最大音量の６４段階を制御部６の「００００００」、「０００００１」、「００００１０」、「００００１１」、…、「１１１１１１」の６４通りの制御指令に割り当て、前記の最小音量乃至最大音量の間で、最小音量を「ステップ１」、最大音量を「ステップ６４」として６４段階にステップ増減して行なわれる。なお、ブライトネス、コントラストについても、それぞれの最大値乃至最小値の６４段階を制御部６の６４通りの制御指令に割り当てステップ増減して行なわれる。
【００４６】
なお、各１ステップ当たりの音量やブライトネス、コントラストの変化量は必ずしも均等でなくてよく、小量域での調整が容易に行なえるようにするため、小領域での１ステップ当たりの音量等の変化量を大領域のそれより小さくすることが望ましく、具体的には、前記の６ビット制御において、「ステップ１」乃至「ステップ１０」までは１ステップ当たりの変化量がそれ以上のステップの変化量より小さくなるようにする。
【００４７】
以上がテレビ番組の通常の受信及び表示・音声出力の制御処理である。なお、リモコン端末器３の操作でテレビジョン受信装置１の外部入力が選択され、前記のビデオテープレコーダやＤＶＤのような映像機器の媒体再生のテレビ番組を表示・音声出力する場合には、例えば、映像増幅部１３、音声検波復調部２０の入力が図示省略した外部入力端子部の外部入力の複合映像信号、音声信号に切り替わり、それらの信号に基づき、前記と同様にして画面表示、音声出力が行われる。
【００４８】
［本発明の音量及び画面の明るさの制御］
次に、上記のようにして受信又は媒体再生で得られたテレビ番組を鑑賞しているときに、ＣＭ部分で音量及び明るさを自動的に低減する場合は、例えばリモコン端末器３によって音量及びブライトネス、コントラストそれぞれの自動変更モードが選択されて制御部６に設定される。
【００４９】
なお、本実施形態においては、ＣＭ部分で音量のみの低減、音量と画面の明るさの低減が選択して自由に行なえるようにし、更に、画面の明るさの低減がブライトネス、コントラストの何れか一方又は両方の可変によって行なえるようにするため、上記したように、音量及びブライトネス、コントラストそれぞれを単独で自動変更モードに設定できるようにする。
【００５０】
更に、予め設定された図２、図３の音量及び画面の明るさの制御プログラムを制御部６がくり返し実行することにより、次の構成のＣＭ検出手段、音量判定手段、減音制御手段、減音解除手段及び、明るさ判定手段、減光御手段、減光解除手段を制御部６に備え、不揮発性メモリ部８によって基準音量記憶手段、基準光量記憶手段を形成する。
【００５１】
そして、ＣＭ検出手段は、表示及び音声出力中（再生出力中）のテレビ番組の信号からその番組の番組部分とＣＭ部分を識別してＣＭ部分を検出する手段であり、番組部分とＣＭ部分とは、周知のように、テレビ番組の種々の情報信号等から識別することができるが、本実施形態においては、一般的な識別方法を採用し、例えば前記のステレオパイロット信号からテレビ番組の音声信号のステレオ、モノラルを検出し、この検出に基づき、例えばステレオであればＣＭ部分、モノラルであれば番組部分として、番組部分とＣＭ部分とを識別してＣＭ部分を検出する。なお、ステレオであればＣＭ部分、モノラルであれば番組部分としたのは、そのようなケースが多いと考えられるからであり、逆の場合は、ステレオであれば番組部分、モノラルであればＣＭ部分としてもよいのは勿論である。
【００５２】
基準音量記憶手段は、ＣＭ検出手段のＣＭ部分の検出開始によりそのＣＭ部分の再生出力直前の出力音量を基準音量として記憶する手段であり、具体的には、ＣＭ検出手段がＣＭ部分を検出し始めたときに、制御部６の制御によってその時の電子音量調整部２１Ｌ、２１Ｒの増幅ゲインの１〜６４のステップ値（「音量ステップ」）を不揮発性メモリ部８が基準音量として保持することで実現される。
【００５３】
音量判定手段は、前記基準音量が、設定された指定減音量のＫ倍（Ｋは１より大きい係数）以上か否かを判定する手段である。
【００５４】
そして、指定減音量は、指定減光量としてのブライトネス値、コントラスト値と共に、メニュー設定（初期設定）によりリモコン端末器３を操作し、例えば図４の階層構造のメニュー画面Ｐ１〜Ｐ３を表示してそれぞれの指定値を書き換えることで変更自在に設定される。その設定方法は、最小音量乃至最大音量の間の音量をパーセント等で直接指定して設定してもよいが、音量変化を音量調整部２１Ｌ、２１の増幅ゲインの変化で設定して調整するため、本実施形態では、上述の「音量ステップ」の数値を指定して行なう。具体的には、最小音量を「音量ステップ１」、最大音量を「音量ステップ６４」とする６４段階のステップ増減の場合、この「音量ステップ」の１〜６４の数値を指定して設定する。なお、ブライトネス値、コントラスト値も同様にして設定され、図４の「ＶＯＬＵＭＥ」、「ＢＲＩＧＨＴＮＥＳＳ」、「ＣＯＮＴＲＡＳＴ」の数値が指定減音量、指定減光量としてのブライトネス値、コントラスト値それぞれであり、製造時には、初期値として、例えば「音量ステップ１０」、「ブライトネスステップ１０」、「コントラスト５」が不揮発性メモリ部８に記憶される。
【００５５】
又、Ｋは後述の係数Ｌと共に、前記メニュー設定によりユーザが変更自在に設定するようにしてもよいが、本実施形態の場合、設定の簡素化等を考慮して製造時に制御部６のＲＯＭに書き込んで固定設定され、その値は実験等によって定められ、例えばＫ＝Ｌ＝２である。
【００５６】
減音制御手段は、音量判定手段の判定結果に基づき、ＣＭ部分のときに、基準音量が指定減音量のＫ倍以上であればテレビジョン受信装置１の出力音量を不揮発性メモリ部８の基準音量より指定減音量低い音量に減音し、基準音量が指定音量のＫ倍より小さければテレビジョン受信装置１の出力音量を不揮発性メモリ部８の基準音量の（Ｋ−１）／Ｋに減音する。
【００５７】
具体的には、基準音量（減音前の出力音量）を「音量ステップＡ」、指定減音量を「音量ステップＺ」、ＣＭ部分の減音された出力音量を「音量ステップＹ」とすると（Ａ、Ｙ、Ｚ、は１〜６４の数値）、Ｋ＝２の場合、基準音量が指定減音量の２倍以上（Ａ≧２×Ｚ）であれば、電子音量調整部２１Ｌ、２１Ｒの「音量ステップ」の数値、換言すれば減音後の音量を、Ｙ＝Ａ−Ｚに低減し、基準音量が指定減音量の２倍より小（Ａ＜２×Ｚ）であれば、電子音量調整部２１Ｌ、２１Ｒの「音量ステップ」の数値、換言すれば減音後の音量を、Ｙ＝Ａ×（（Ｋ−１）／Ｋ））＝Ａ／２に低減する。
【００５８】
このようにすることで、ＣＭ部分の出力音量Ｙは、横軸を基準音量Ａ、縦軸を出力音量Ｙとする図５の減音特性図の実線ｙに示すように、減音直前の基準音量ＡがＡ≧（Ｋ×Ｚ）（Ｋ＝２の場合はＡ≧２×Ｚ）の大きい音量範囲では、実線ａの減音しない場合と同じ傾き（（Ｙ／Ａ）＝１）でユーザが設定した指定減音量Ｚ引き下げた特性になり、減音直前の基準音量ＡがＡ＜（Ｋ×Ｚ）（Ｋ＝２の場合はＡ＜２×Ｚ）の小さい音量範囲では、実線ａの特性を（Ｋ−１）／Ｋ（Ｋ＝２の場合は１／２）の傾きに緩やかにした特性で減音した特性になる。なお、図５の横軸の基準音量Ａ、縦軸の出力音量Ｙは、実際には電子音量調整部２１Ｌ、２１Ｒの「音量ステップ」の数値であるが、スピーカ２３Ｌ、２３Ｒの実際の音量であってよもい。
【００５９】
したがって、ＣＭ部分の出力音量Ｙは、減音前の番組部分の鑑賞中の基準音量Ａによらず一定の音量に減音されるのでなく、基準音量Ａに対して一律に一定音量引き下げて減音されるものでもなく、ユーザが設定した指定減音量Ｚに基づき、基準音量ＡがＫ×Ｚ（Ｋ＝２の場合は２×Ｚ）以上か否かによって基準音量Ａに対する減音変化特性を変えて基準音量Ａに応じた音量に減音される。
【００６０】
具体的には、基準音量ＡがＡ≧（Ｋ×Ｚ）（例えばＡ≧２×Ｚ）の大きい音量であれば、基準音量Ａに対する変化勾配を１として、基準音量Ａから指定減音量Ｚ引き下げた所望の音量Ｙ（＝Ａ−Ｚ）に減音され、基準音量ＡがＡ＜Ｋ×Ｚ（Ａ＜２×Ｚ）の小さいときには、基準音量Ａに対する変化勾配を（Ｋ−１）／Ｋ倍（例えば１／２倍）に緩くして、基準音量Ａの（Ｋ−１）／Ｋ倍（例えば１／２倍）に引き下げた音量Ａ×（Ｋ−１）／Ｋに減音され、ＣＭ部分の音量が番組部分の鑑賞中の音量に応じた好みの減音量の音量になり、番組鑑賞性能か向上する。
【００６１】
なお、Ａ＝（Ｋ×Ｚ）の基準音量ＡについてのＣＭ部分の出力音量Ｙは、Ｙ＝Ａ−Ｚ＝（Ｋ−１）×Ｚ＝（Ｋ×Ｚ）×（Ｋ−１）／Ｋとなり、Ｙ（＝Ａ−Ｚ）、Ｙ＝Ａ×（Ｋ−１）／Ｋのいずれの減音によっても同じ音量となり、基準音量Ａに対するＣＭ部分の出力音量Ｙの変化が連続性を保ち、減音特性が不自然になることもない。
【００６２】
そして、減音前の基準音量Ａと減音後の出力音量Ｙとの多数個の組合わせをメモリ等に設定して保持する必要がなく、出力音量の比較等の処理を極めて迅速にくり返し行なう必要もなく、番組部分の減音前の基準音量Ａに対してＡ−Ｚ又はＡ×（（Ｋ−１）／Ｋ）の簡単な演算をする処理負担が少なく、テレビジョン受信装置１の記憶容量や処理負担等の面から極めて実用的な構成で、ＣＭ部分の効果的な減音を実現することができる。
【００６３】
減音解除手段は、例えばテレビ番組の音声がステレオからモノラルに変化し、ＣＭ検出手段がＣＭ部分の検出を終了したときに受信装置１の出力音量を不揮発性メモリ部８の基準音量Ａに戻す手段である。
【００６４】
そのため、ＣＭ部分からつぎの番組部分に移行したときには、自動的に減音が解除されて受信装置１の出力音量が元の基準音量Ａにすばやく戻る。
【００６５】
更に、基準光量記憶手段は、ＣＭ検出手段のＣＭ部分の検出開始によりＣＭ部分の再生出力直前の受信装置１の画面のコントラスト、輝度の少なくともいずれか一方を「光量ステップＡ＊」の基準光量Ａ＊として記憶する手段であり（Ａ＊も例えば１〜６４）、基本的に前記の基準音量記憶手と同様に動作し、ＣＭ検出手段がＣＭ部分を検出し始めたときに、制御部６の制御によってその時のブライトネス調整部１４、コントラスト調整部１５の調整量の１〜６４のステップ値（「ブライトネスステップ」、「コントラストステップ」）を不揮発性メモリ部８が基準光量Ａ＊として保持することで実現される。なお、「ブライトネスステップ」、「コントラストステップ」を記憶するか否かは前記の自動変更モードに設定されているか否かによって決まる。
【００６６】
明るさ判定手段は、基準光量Ａ＊が、設定された「光量ステップＺ＊」の指定減光量Ｚ＊（Ｚ＊も例えば１〜６４）のＬ倍（Ｌは１より大きい係数）以上か否かを判定する手段であり、音量判定手段と同様の手段である。
【００６７】
減光御手段は、前記明るさ判定手段の判定結果に基づき基準光量Ａ＊が指定減光量Ｚ＊のＬ倍以上であればＣＭ部分の再生出力中の画面のブライトネス、コントラスの何れか一方又は両方を不揮発性メモリ部８の基準光量Ａ＊より指定減光量Ｚ＊低いブライトネス、コントラスに低減してＣＭ部分の再生出力中の画面の明るさを不揮発性メモリ部８の基準光量Ａ＊より指定減光量Ｚ＊低い光量の明るさに低減し、基準光量Ａ＊が指定減光量Ｚ＊のＬ倍より小さければＣＭ部分の再生出力中の画面のブライトネス、コントラスの何れか一方又は両方を不揮発性メモリ部８の基準光量Ａ＊の（Ｌ−１）／Ｌに低減してＣＭ部分の再生出力中の画面の明るさを基準光量Ａ＊の（Ｌ−１）／Ｌに低減する。
【００６８】
具体的には、減音制御手段と同様に動作し、Ｌ＝２の場合、基準光量Ａ＊が指定減光量Ｚ＊の２倍以上（Ａ＊≧２×Ｚ＊）であれば、ＣＭ部分のブライトネス、コントラストの何れか一方又は両方を、Ｙ＊＝Ａ＊−Ｚ＊に低減し（Ｙ＊はＣＭ部分のブライトネス、コントラスト）、基準光量Ａ＊が指定減光量Ｚ＊の２倍より小（Ａ＊＜２×Ｚ＊）であれば、ＣＭ部分のブライトネス、コントラストの何れか一方又は両方を、Ｙ＊＝Ａ＊×（（Ｌ−１）／Ｌ））＝Ａ＊／２に低減する。
【００６９】
このようにすることで、ＣＭ部分の画面の明るさＹ＊は、図５の減音特性図の実線ｙの特性と同様の特性で低減される。
【００７０】
したがって、ＣＭ部分の画面の明るさＹ＊は、ユーザが設定した指定減光量Ｚ＊に基づき、基準光量Ａ＊がＬ×Ｚ＊（Ｌ＝２の場合は２×Ｚ＊）以上か否かによって基準光量Ａ＊に対する減光変化特性を変えて基準光量Ａ＊に応じた光量に低減される。
【００７１】
そして、番組部分の基準光量Ａ＊に対してＡ＊−Ｚ＊又はＡ＊×（（Ｌ−１）／Ｌ）の簡単な演算をする処理負担が少なく、テレビジョン受信装置１の記憶容量や処理負担等の面から極めて実用的な構成で、ＣＭ部分の効果的な明るさの低減を実現することができる。
【００７２】
減光解除手段は、例えばテレビ番組の音声がステレオからモノラルに変化し、ＣＭ検出手段がＣＭ部分の検出を終了したときに受信装置１の画面の明るさを不揮発性メモリ部８の基準光量Ａ＊に戻す手段である。
【００７３】
そのため、ＣＭ部分からつぎの番組部分に移行したときには、自動的に減光が解除されて受信装置１の画面の明るさが元の基準光量Ａ＊の明るさににすばやく戻る。
【００７４】
次に、制御部６の本実施形態の音量及び画面の明るさの制御を図２及び図３を参照して説明する。
【００７５】
制御部６は本体装置２のスタンバイ状態でリモコン端末器３の電源オンのキー操作を待機し（図２のステップＳ１）、リモコン端末器３の電源キー３３が操作されて電源オンになると、ステップＳ１からステップＳ２に移行する。
【００７６】
そして、テレビ番組の再生中にモノラル音声からステレオ音声に変化すると、ステップＳ２からステップＳ３に移行し、音量自動変更モードであれば、ステップＳ３からステップＳ４に移行する。
【００７７】
そして、電子音量調整部２１Ｌ、２１Ｒの「音量ステップＡ」の数値を、減音前の基準音量Ａとして検出し、不揮発性メモリ部８に書き込んで記憶保持する。
【００７８】
更に、ステップＳ４からステップＳ５に移行し、例えばＫ＝２の設定に基づき、基準音量ＡがＡ≧２×Ｚか否かを判別し、Ａ≧２×Ｚの大きな音量であれば、ステップＳ５からステップＳ６に移行して電子音量調整部２１Ｌ、２１Ｒの「音量ステップＹ」の数値を指定減音量Ｚ引き下げ、ＣＭ部分の出力音量ＹをＹ＝Ａ−Ｚに減音する。
【００７９】
又、ステップＳ５の判別結果がＡ０＜２×Ｚの小さな音量であれば、ステップＳ５からステップＳ７に移行し、Ｋ＝２の設定に基づき、電子音量調整部２１Ｌ、２１Ｒの「音量ステップ」の数値をＡ０／２に半減し、ＣＭ部分の出力音量Ａ１をＡ１＝Ａ０／２に減音する。
【００８０】
そして、ステップＳ６又はステップＳ７の減音処理後、ステップＳ８によって明るさの自動変更モードに設定されていれば、ステップＳ９に移行して図３のステップＱ１〜Ｑ１０の処理に移行し、ＣＭ部分の画面の明るさを低減する。
【００８１】
その後、図２のステップＳ１０に戻り、ステップＳ１０、Ｓ１１のループ処理によって、モノラル音声への変化、電源オフのキー操作を待機し、ＣＭ部分から番組部分に移行し、モノラル音声になると、ステップＳ１０からステップＳ１２に移行し、音量及び明るさを基準音量Ａ、基準光量Ａ＊に戻した後、ステップＳ１に移行してこのステップＳ１から処理をくり返す。
【００８２】
したがって、この実施形態の場合、テレビ番組の鑑賞中にＣＭ部分になると自動的に音量及び画面の明るさを、直前の音量、明るさかに応じて自動的にきめ細かに効果的に減音し、番組鑑賞特性を著しく向上することができる。
【００８３】
その際、ＣＭ部分検出手段が、テレビ番組の音声信号のステレオ、モノラルから番組部分とＣＭ部分とを識別してＣＭ部分を検出するため極めて実用的である。
【００８４】
更に、ＣＭ部分から番組部分に移行すると、自動的に低減を解除し、テレビジョン受信装置１の音量及び画面の明るさを元の状態に戻すことができる。
【００８５】
そのため、記憶容量や制御部６の処理負担が極めて少ない簡単な処理により、従来にない効果的なＣＭ部分の音量及び画面の明るさの低減及びこの低減の自動解除を実現することができる。
【００８６】
そして、本発明は上記した各実施形態に限定されるものではなく、その趣旨を逸脱しない範囲において上述したもの以外に種々の変形実施を行なうことが可能であり、例えば、明るさ判定手段、減光御手段、減光解除手段及び基準光量記憶手段を省き、ＣＭ部分で減音のみを行なうようにしてもよい。又、指定減光量Ｚ＊は、ブライトネス、コントラストに共通に設定してもよいが、ブライトネス、コントラストの別に設定することが実用的で好ましい。
【００８７】
そして、本発明の音量調整装置は、テレビジョン受信装置１のようなテレビ番組の受信、媒体再生の少なくとも何れか一方を行なう種々の再生装置に適用することができるのは勿論である。
【図面の簡単な説明】
【００８８】
【図１】本発明の１実施形態のテレビジョン受信装置のブロック図である。
【図２】同上、テレビジョン受信装置の音量及び画面の明るさの制御のフローチャートである。
【図３】同上、テレビジョン受信装置の図３のフローチャートの画面の明るさの詳細制御のフローチャートである。
【図４】同上、テレビジョン受信装置のメニュー設定（初期設定）の表示面面の変化の説明図である。
【図５】同上、テレビジョン受信装置のＣＭ部分での減音特性の説明図である。
【符号の説明】
【００８９】
１    テレビジョン受信装置
２    本体装置
６    制御部
８    不揮発性メモリ部
１４    ブライトネス調整部
１５    コントラスト調整部
２１Ｌ、２１Ｒ    電子音量調整部
【図１】
2007318592.tif 000003
【図２】
2007318592.tif 000004
【図３】
2007318592.tif 000005
【図４】
2007318592.tif 000006
【図５】
2007318592.tif 000007